(57)【要約】【課題】  主扉の構造を複雑にすることなく機械的強度を維持しつつ、展示スペースの端部にある商品サンプルを小型、省電力、長寿命で照明する自動販売機用照明装置および自動販売機を提供する。【解決手段】  自動販売機１内の展示スペース３２の両端のサンプル４の外側に、導光板１１０を備えた照明装置１００を斜めに設置する。ＬＥＤランプからの入射光を導光板１１０の端面に入射させ、散乱面で前方に散乱することにより発光面から面発光し、展示スペース３２の両端側の照明を行う。【選択図】    図１
2006079487.tif 000002
【特許請求の範囲】
【請求項１】
自動販売機の照明灯により照明された展示スペースに設けられた自動販売機用照明装置において、
前記照明灯による照明が十分でない領域に照明光を照射するＬＥＤ光源を備えたことを特徴とする自動販売機用照明装置。
【請求項２】
自動販売機の照明灯により照明された展示スペースに設けられた自動販売機用照明装置において、
散乱面を有する透明または半透明の導光部材と、
前記導光部材に光を入射して前記散乱面で発生した乱反射光を前記照明灯による照明が十分でない領域に照射させるＬＥＤ光源とを備えたことを特徴とする自動販売機用照明装置。
【請求項３】
自動販売機の照明灯により照明された展示スペースに設けられた自動販売機用照明装置において、
カーテンを構成する布材等の散乱部材と、
前記散乱部材の内側に光を入射して前記散乱部材で発生した乱反射光を前記照明灯による照明が十分でない領域に照射させるＬＥＤ光源とを備えたことを特徴とする自動販売機用照明装置。
【請求項４】
照明灯により照明された展示スペースを有する自動販売機において、
前記照明灯による照明が十分でない領域に照明光を照射するＬＥＤ光源を備えたことを特徴とする自動販売機。
【発明の詳細な説明】
【技術分野】
【０００１】
本発明は、サンプルを展示するスペースを照明する自動販売機用照明装置およびそのような照明装置を備えた自動販売機に関し、特に、主扉の構造を複雑にすることなく機械的強度を維持しつつ、展示スペースの端部にある商品サンプルを小型、省電力、長寿命で照明する自動販売機用照明装置および自動販売機に関する。
【背景技術】
【０００２】
商店の入り口近傍、歩道際等に設置される自動販売機は、販売する缶飲料等のサンプル、写真等を展示する展示スペースを正面の見やすい位置に設けている。そして、夜間には、蛍光灯を点灯して商品のサンプルや写真を照明して販売品の内容を利用者に知ってもらえるように工夫している。
【０００３】
図１１は、従来の自動販売機の一例を示す。この自動販売機１は、コーヒー、コーラ、ジュース、ウーロン茶等の多種類の飲料を硬貨や紙幣の投入に応じて自動販売するものであり、内部に多数の商品をストックしている。自動販売機１は、略箱型状の自動販売機本体２を筐体とし、この自動販売機本体２の前面には正面パネルとなる主扉３が設けられている。この主扉３は、自動販売機本体２の前面に蝶着されているため開閉でき、サンプルの交換、商品の補充、商品の入れ替え等の時に開閉される。
【０００４】
主扉３は、前面カバーとしての透明パネル３１が設けられており、この内側に展示スペース３２が確保されている。展示スペース３２には、サンプル台３３が上下方向に３段に設けられており、各サンプル台３３上に商品見本としての複数のサンプル４が載置されている。各サンプル台３３の上方には、サンプル４に光を照射する直管の蛍光灯３４が配置され、その光が利用者の目に入らないように反射カバー３５が設けられている。
【０００５】
サンプル台３３の前面には、ＣＯＬＤ、ＨＯＴ等の商品の種類や価格等を表示したサブパネル５が設けられ、透明パネル３１の表面には、商品を選択する選択ボタン６が設けられている。また、主扉３には、紙幣を挿入する紙幣挿入口７、硬貨を投入する硬貨投入口８、挿入した紙幣や投入した硬貨を返却する返却レバー９、釣銭を返却する釣銭返却口１０、釣銭切れや投入金額等の表示を行う表示器１１、商品を取り出すための商品販売口１２、及び施錠により主扉３の開動作をロックするドアロック１３が配設されている。
【０００６】
サンプル４は、透明又は半透明の樹脂材を用いて成形加工により実際の商品に準じた外観及びサイズに作られており、実際の商品に似せた円筒形や奥行きを小さくした略半円筒形にしている。そして、その表面には、販売する商品と同じ表記及び配色による印刷またはラベルの貼付が施されている。サンプル４の使用材料を透明又は半透明にすることで、光の影が生じにくくなり、個々のサンプル４の全体を見やすくすることができる。
【０００７】
サンプル４の上方には、直管タイプの昼光色又は白色の蛍光灯３４が横方向に取り付けられており、周囲が暗いときに点灯し、展示スペース３２内を明るく照明するとともに、サンプル４をも照明する。なお、蛍光灯３４は、図１１では、１本だけ見えるように描いているが、各サンプル台３３の下方にもそれぞれ設けている。
【０００８】
しかし、図１１に記載の従来の自動販売機によると、直管の蛍光灯による照明の場合、蛍光灯の端部は、端子等で構成されているので、蛍光灯の端部付近の商品サンプルに蛍光灯の発光光が行き渡らないおそれがある。また、蛍光灯の長さは規格で決まっているので展示スペースとサイズが合わない場合がある。
【０００９】
したがって、図１１に示す蛍光灯の発光光が行き渡りにくい部分Ｅが暗くなってしまい、この部分の商品サンプルが見えにくくなるおそれがある。これにより、利用者が商品選択時にこの部分の商品を選択しにくくなる可能性があり、その商品の売上げが落ちる可能性もある。
【００１０】
そこで、直管の蛍光灯による照明が行き渡らないという欠点を解消するため、主扉内の展示スペースの側方に縦方向に沿って蛍光灯を設け、展示スペース内を側方から照明する自動販売機が知られている（例えば、特許文献１〜４参照）。このような自動販売機によれば、展示スペース内に陰影ができにくく、良好な展示ができるとともに、自動販売機の前方を広角度に明るく照明することができ、展示効果を一層向上させることができる。
【特許文献１】実開昭６３−１２２６８公報（図１）
【特許文献２】実開昭６３−１２２６９公報（図１）
【特許文献３】実開昭６３−１２２７１公報（図１）
【特許文献４】実開昭６３−１２２７２公報（図２）
【発明の開示】
【発明が解決しようとする課題】
【００１１】
しかし、特許文献１〜４に記載の自動販売機によると、縦方向に沿って設けられる蛍光灯によって展示スペース内を照明するので、照明装置として大型化し、また、消費電力が大きくなり、さらに蛍光管の寿命が短いので、たびたび蛍光管を交換しなければならないおそれがある。また、主扉の構造が複雑となるとともに、機械的強度が弱くなるおそれがある。
【００１２】
したがって、本発明の目的は、主扉の構造を複雑にすることなく機械的強度を維持しつつ、展示スペースの端部にある商品サンプルを小型、省電力、長寿命で照明する自動販売機用照明装置および自動販売機を提供することにある。
【課題を解決するための手段】
【００１３】
本発明は、上記目的を達成するため、自動販売機の照明灯により照明された展示スペースに設けられた自動販売機用照明装置において、前記照明灯による照明が十分でない領域に照明光を照射するＬＥＤ光源を備えたことを特徴とする自動販売機用照明装置を提供する。
【００１４】
この構成によれば、照明灯による照明が十分でない領域に照明光を照射することにより、主扉の構造を複雑にすることなく機械的強度を維持しつつ、展示スペースの暗い部分を明るくすることができ、展示スペース全体が明るくなる。ＬＥＤ光源を用いるため、小型、省電力、長寿命で展示スペースを照明することができる。
【００１５】
上記ＬＥＤ光源として、例えば、赤色、緑色および青色等の単色系ＬＥＤランプ、白色系ＬＥＤランプ、あるいは赤色系ＬＥＤ素子、緑色系ＬＥＤ素子および青色系ＬＥＤ素子を備えたＲＧＢＬＥＤランプを用いることができる。また、上記照明灯による照明が十分でない領域は、通常は、展示スペースの両端のスペースになるが、これに限るものではない。
【００１６】
また、自動販売機用照明装置は、マグネット、突っ張り金具等の固定部材によって展示スペースに固定してもよい。これにより、照明装置を展示スペースに設置するのが容易となる。
【００１７】
本発明は、上記目的を達成するため、自動販売機の照明灯により照明された展示スペースに設けられた自動販売機用照明装置において、散乱面を有する透明または半透明の導光部材と、前記導光部材に光を入射して前記散乱面で発生した乱反射光を前記照明灯による照明が十分でない領域に照射させるＬＥＤ光源とを備えたことを特徴とする自動販売機用照明装置を提供する。
【００１８】
この構成によれば、導光板の散乱面で発生した乱反射光により広い面積で面発光するので、展示スペースの暗い部分を明るくすることができ、展示スペース全体が明るくなる。
【００１９】
上記導光板としては、表面または裏面に散乱面を設けものを用いることができる。また、上記光源は、導光板の側面に光を入射してもよく、導光板の表面または裏面に垂直な方向から光を入射してもよい。また、導光板の表面または裏面に広告情報を表示したシールを貼り付けてもよい。
【００２０】
本発明は、上記目的を達成するため、自動販売機の照明灯により照明された展示スペースに設けられた自動販売機用照明装置において、カーテンを構成する布材等の散乱部材と、
前記散乱部材の内側に光を入射して前記散乱部材で発生した乱反射光を前記照明灯による照明が十分でない領域に照射させるＬＥＤ光源とを備えたことを特徴とする自動販売機用照明装置を提供する。
【００２１】
本発明は、上記目的を達成するため、照明灯により照明された展示スペースを有する自動販売機において、前記照明灯による照明が十分でない領域に照明光を照射するＬＥＤ光源を備えたことを特徴とする自動販売機を提供する。
【発明の効果】
【００２２】
本発明によれば、自動販売機の展示スペースの両側にＬＥＤ光源を設けたため、主扉の構造を複雑にすることなく機械的強度を維持することができ、展示スペースの端部にある商品サンプルを小型、省電力、長寿命で照明することができるので、展示スペースの端部にある商品サンプルにも照明が行き渡り、商品見本が見やすくなる。
【００２３】
また、光源の色を変化させることにより、広告効果を高めることができる。
【発明を実施するための最良の形態】
【００２４】
［第１の実施の形態］
図１は、本発明の第１の実施の形態に係る照明装置を適用した自動販売機を示す。この自動販売機１は、コーヒー、コーラ、ジュース、ウーロン茶等の多種類の飲料を硬貨や紙幣の投入に応じて自動販売するものであり、内部に多数の商品をストックしている。自動販売機１は、略箱型状の自動販売機本体２と、この自動販売機本体２の前面カバーとしての透明パネル３１の内側に展示スペース３２が確保されている主扉３を備える。
【００２５】
主扉３は、自動販売機本体２の前面に蝶着されているために開閉でき、サンプル４の交換、商品の補充、商品の入れ替え等のときに開閉される。この主扉３は、紙幣および硬貨を投入する現金投入部７Ａと、釣銭を返却する釣銭返却口１０と、商品を取り出すための商品販売口１２と、広告などを表示する電照板１５とを備える。
【００２６】
展示スペース３２には、サンプル４を載置するサンプル台１６が３段設けられている。このサンプル台１６の前面には、ＣＯＬＤ、ＨＯＴ等の商品の種類や価格等を表示したサブパネル５が設けられ、透明パネル３１の表面には、商品を選択する複数の選択ボタン６が設けられている。展示スペース３２の最上部には、展示スペース３２内を照明する照明灯としての蛍光灯３４を備える。同様に各サンプル台１６の下にも不図示であるが、照明灯としての蛍光灯を備えている。
【００２７】
また、この自動販売機１は、展示スペース３２の各段ごとのスペースの両端に暗い部分を照明する照明装置１００を設けている。照明装置１００は導光部材としての導光板１１０を備え、図１では、導光板１１０が展示スペース３２の両端に斜めに置かれている。
【００２８】
図２および図３は、照明装置１００を示し、図２は、図１のＡ−Ａ線に沿う断面図、図３（ａ）は、照明装置１００の構成を示す斜視図、図３（ｂ）は、図３（ａ）のＢ−Ｂ線に沿う断面図である。
【００２９】
照明装置１００は、側方から入射した光を乱反射し前方で面発光する導光板１１０と、複数のＬＥＤランプ１３０を導光板１１０の側方に向けて設置する基板１２０と、基板１２０上に等間隔に縦方向に配置され、導光板１１０に入射光を入射する複数のＬＥＤランプ１３０と、基板１２０、ＬＥＤランプ１３０および導光板１１０の一部を覆うＬＥＤケース１４０とを備える。
【００３０】
導光板１１０は、薄型板状の透明あるいは半透明のアクリル等の樹脂部材からなり、ＬＥＤランプ１３０から出射された光が入射する入光面１１０ａと、裏面に形成され、ＬＥＤランプ１３０からの入射光を前方へ散乱させる散乱面１１０ｂと、散乱させた光を出射し、面発光する発光面１１０ｃとを備える。
【００３１】
散乱面１１０ｂは、入射光をさまざまな方向に乱反射できるように多数のV溝をランダムに有する。なお、散乱面１１０ｂは、導光板１１０の表面に形成されていてもよく、凸部形状を有する構成や、白色のプラスチックシート，粘着テープ等の散乱シートを貼り付けた構成でもよい。
【００３２】
ＬＥＤランプ１３０は、基板１２０から電源が供給されるリード１２５を有する。また、ＬＥＤランプ１３０は、赤色、青色あるいは緑色等の単色系でもよく、複数のＬＥＤ素子を組み合わせた白色系、あるいはＲＧＢＬＥＤランプであって後述する制御装置５０の制御により任意の色で発色するものでもよい。
【００３３】
ＬＥＤケース１４０は、断面コ字状を有し、ＬＥＤランプ１３０の出射光が導光板１１０の入光面１１０ａに入射するように基板１２０を保持する。
【００３４】
自動販売機１は、展示スペース３２外の自動販売機１内に収納され、ＬＥＤランプ１３０を点灯制御する制御装置５０を備えている。
【００３５】
次に、第１の実施の形態の動作を説明する。自動販売機１の図示しない電源スイッチがオンになると、加温装置あるいは冷却装置が作動して商品を暖め、あるいは冷却する。また、蛍光灯３４により展示スペース３２内が照明される。
【００３６】
また、図示しない電源スイッチがオンになると、照明装置１００にも電源が供給され、基板１２０に取り付けられたＬＥＤランプ１３０が点灯する。ＬＥＤランプ１３０の発光光は、図３（ａ）の矢印のように入光面１１０ａから導光板１１０に入射され、図３（ｂ）に示すように導光板１１０中を反射しながら進行する。進行した発光光は、散乱面１１０ｂにより進行方向を変えられて乱反射光となり、図３（ｂ）に示すように発光面１１０ｃの全面から出射する。よって、発光は、光面１１０ｃで面発光となる。
【００３７】
本発明の第１の実施の形態によれば、下記の効果を奏することができる。
（イ）展示スペース３２の両端のサンプル４が両端の照明装置１００により明るく照明されるので、サンプル４をより見やすくすることができる。
（ロ）また、両端の照明装置１００のＬＥＤランプ１３０の発光色を変えたり、組み合わせたりすることにより、照明対象を種々の態様で照明し、広告効果を一層高めることができる。例えば、夏には、冷たいイメージとなる水色や青色の発光色によりサンプル等を照明し、冬には、温かいイメージとなる黄色や橙色の発光色により、サンプル等を照明することで季節感を出し、利用者の購買意欲を高めることができる。
（ハ）この照明装置１００によれば、ＬＥＤランプ１３０を用いるので、小型化、省電力化、長寿命化が期待でき、長期にわたり、低コストで照明対象を照明することができる。また、主扉に対し、外部に対し発光光を射出するための透光板を設ける必要がないので、主扉の構造を複雑にすることなく従前の機械的強度を維持することができる。
【００３８】
なお、ＬＥＤランプ１３０を配置した基板１２０の導光体１１０への取り付けは、図３（ａ）では片側からのものを示したが、導光板１１０の両側に取り付けてもよい。
【００３９】
［第２の実施の形態］
図４は、本発明の第２の実施の形態に係る照明装置を適用した展示スペースの斜視図である。図５は、図４のＣ−Ｃ線に沿う断面図、図６（ａ）は、照明装置の構成を示す斜視図、図６（ｂ）は、図６（ａ）のＤ−Ｄ線に沿う部分断面図、図６（ｃ）は、変形例を示す斜視図である。以下、第１の実施の形態で説明したものには同番号を振り、説明を省略する。
【００４０】
この照明装置２００は、凸状に湾曲して形成され、裏側から入射した光を裏面で散乱透過し表面で面発光する導光板２１０と、導光板２１０の湾曲した面の中心近傍に複数のＬＥＤランプ１３０を配置する基板１２０とを備える。ＬＥＤランプ１３０は、第１の実施の形態と同様の発光色を有する。
【００４１】
導光板２１０は、透明あるいは半透明のアクリル等の樹脂部材からなり、ＬＥＤランプ１３０からの光の照射を受け、その光を散乱透過させる裏面の散乱面２１０ｂと、散乱させた光を出射させ、面発光する表面の発光面２１０ｃを備える。なお、導光板２１０は、凹状の湾曲面を有するものでもよく、平板状でもよい。
【００４２】
散乱面２１０ｂは、入射光をさまざまな方向に乱反射できるように多数のV溝をランダムに有する。なお、散乱面２１０ｂは、導光板２１０の表面に形成されていてもよく、凸部形状を有する構成や、白色のプラスチックシート，粘着テープ等の散乱シートを貼り付けた構成でもよい。
【００４３】
導光板２１０の発光面２１０ｃは、図６（ｃ）に示すように、面上に任意の文字やマークのみを光るようにシート２１０ｄを設けてもよい。任意の文字やマークを光らせることにより、広告媒体とすることができる。図６（ｃ）では、例として“Ｈ2Ｏ”と表示し、飲料水の広告としている。
【００４４】
次に、第２の実施の形態の照明装置２００の動作を説明する。図６（ｂ）に示すように基板１２０に配置された複数のＬＥＤランプ１３０から出射した光は、導光板２１０の裏面の散乱面２１０ｂに入射する。ここで入射光は散乱面２１０ｂのV溝により多様な方向に散乱され、そのまま導光板２１０内を透過し、発光面２１０ｃから出射する。よって、導光板２１０の発光面２１０ｃ全体で面発光する。
【００４５】
この第２の実施の形態の照明装置２００によれば、導光板２１０の発光面２１０ｃからの面発光により、展示スペース３２の両端側を明るく照明することができる。
【００４６】
［第３の実施の形態］
図７は、本発明の第３の実施の形態に係る照明装置を適用した展示スペースの斜視図、
図８は、図７の構成において照明装置３００とカーテン３５０の部分を示す斜視図である。
【００４７】
この自動販売機１は、展示スペース３２の両端を照明する照明装置３００と、展示スペース３２の両端の前面側に設置されるカーテン３５０を備える。
【００４８】
この照明装置３００は、展示スペース３２の奥側に配置され、縦に複数のＬＥＤランプ１３０を配置した基板１２０と、基板１２０に配置され、カーテン３５０を照らす複数のＬＥＤランプ１３０とを備える。ＬＥＤランプ１３０は、第１の実施の形態と同様の発光色を備える。基板１２０は、カーテン３５０により隠されるように配置される。また、カーテン３５０は、照明装置３００を構成するものとしてもよい。
【００４９】
この照明装置３００により、カーテン３５０や、展示スペース３２の一番外側のサンプル４やその付近のスペースの照明が行われる。カーテン３５０は薄い色の場合は、照明により色付けられる。
【００５０】
この第３の実施の形態によれば、照明装置３００のＬＥＤランプ１３０により、展示スペース３２の両端が照明されて明るくなり、さらに照明されたカーテン３５０により飾りつけを行うことができる。
【００５１】
［第４の実施の形態］
図９は、本発明の第４の実施の形態に係る照明装置を上面から見た図である。この第４の実施の形態の照明装置４００は、第２の実施の形態の照明装置２００をユニット化したものである。
【００５２】
この照明装置４００は、複数のＬＥＤランプ１３０と、複数のＬＥＤランプ１３０を配置した基板１２０と、凸状に湾曲された面が面発光する導光板２１０と、導光板２１０の端部を支持するケース４２０と、基板１２０をケース４２０の内面４２１に取り付けて支持する基板取付部材４３０と、ケース４２０を展示スペース３２の両端の奥面３２ａに取り付けるマグネット４４０とを備える。なお、ケース４２０は、開放部を有さず封止した構成としてもよい。
【００５３】
この第４の実施の形態によれば、照明装置４００をユニット化したので、取り扱いが容易となる。また、マグネット４４０を用いることにより、簡易に展示スペース３２の両端に固定することができる。
【００５４】
［第５の実施の形態］
図１０は、本発明の第５の実施の形態に係る照明装置を適用した展示スペースを前面から見た要部正面図である。この照明装置５００は、第４の実施の形態のユニット化した照明装置４００の上面を開放せず閉じて箱状に構成したものであり、照明装置５００と展示スペース３２の間で突っ張り支持を行う突張り金具５２０を備えている。
【００５５】
突張り金具５２０は、回転部５３０を回転することにより支持部５４０を上下に移動させて上下方向に突っ張る構成となっている。
【００５６】
この照明装置５００を展示スペース３２の両端側に設置する場合は、照明装置５００を展示スペース３２の両端側に載置し、突張り金具５２０の回転部５３０を回転し、上下に支持部５４０を伸ばし、展示スペース３２の上面３２ｂと照明装置５００の上部５０１とを突っ張ることにより、照明装置５００を固定する。
【００５７】
この第５の実施の形態によれば、突張り金具５２０により簡易に展示スペース３２の両端側に照明装置５００を固定することができる。
【００５８】
なお、本発明は、上記実施の形態に限定されず、発明の要旨を逸脱しない範囲内において種々変形実施が可能である。また、各実施の形態の構成要素間で任意に組み合わせることができる。例えば、各実施の形態に係る照明装置１００、２００、３００、４００、５００は、吸盤、面ファスナ、ねじ止め等の固定部材により、展示スペース３２の両端側に容易に取り付けることができる。
【００５９】
また、照明の光源はＬＥＤランプではなく、半導体レーザ、豆電球等の他の光源でもよい。また、本発明は、自動販売機のみならず、他の商品展示スペースにも適用できる。
【図面の簡単な説明】
【００６０】
【図１】本発明の第１の実施の形態に係る照明装置を適用した自動販売機を示す斜視図である。
【図２】本発明の第１の実施の形態に係る照明装置を示し、図１のＡ−Ａ線に沿う断面図である。
【図３】本発明の第１の実施の形態に係る照明装置を示し、（ａ）は、照明装置の構成を示す斜視図、（ｂ）は、（ａ）のＢ−Ｂ線に沿う断面図である。
【図４】本発明の第２の実施の形態に係る照明装置を適用した展示スペースの斜視図である。
【図５】図４のＣ−Ｃ線に沿う断面図である。
【図６】本発明の第２の実施の形態に係る照明装置を示し、（ａ）は照明装置の斜視図、（ｂ）は、（ａ）のＤ−Ｄ線に沿う断面図、（ｃ）は、変形例を示す斜視図である。
【図７】本発明の第３の実施の形態に係る照明装置を適用した展示スペースの斜視図である。
【図８】図７の構成において照明装置とカーテンの部分を示す斜視図である。
【図９】本発明の第４の実施の形態に係る照明装置を上面から見た断面図である。
【図１０】本発明の第５の実施の形態に係る照明装置を適用した展示スペースを前面から見た要部正面図である。
【図１１】従来の自動販売機を示す正面図である。
【符号の説明】
【００６１】
１  自動販売機
２  自動販売機本体
３  主扉
４  サンプル
５  サブパネル
６  選択パネル
７  紙幣挿入口
７Ａ  現金投入部
８  硬貨投入口
９  返却カバー
１０  釣銭返却口
１１  表示器
１２  商品販売口
１２Ａ  商品販売口扉
１３  ドアロック
１５  電照板
１６  サンプル台
３１  透明パネル
３２  展示スペース
３２ａ  奥面
３３  サンプル台
３４  蛍光灯
３５  反射カバー
５０  制御装置
１００、２００、３００、４００、５００  照明装置
１１０、２１０  導光板
１１０ａ  入光面
１１０ｂ、２１０ｂ  散乱面
１１０ｃ、２１０ｃ  発光面
１２０  基板
１２５  リード
１３０  ＬＥＤランプ
１４０  ＬＥＤケース
２１０ｄ  シール
３５０  カ−テン
４２０  ケース
４２１  内面
４３０  基板取付部材
４４０  マグネット
５０１  上部
５２０  突張り金具
５３０  回転部
５４０  支持部
【図１】
2006079487.tif 000003
【図２】
2006079487.tif 000004
【図３】
2006079487.tif 000005
【図４】
2006079487.tif 000006
【図５】
2006079487.tif 000007
【図６】
2006079487.tif 000008
【図７】
2006079487.tif 000009
【図８】
2006079487.tif 000010
【図９】
2006079487.tif 000011
【図１０】
2006079487.tif 000012
【図１１】
2006079487.tif 000013